(57)【要約】【課題】ユーザ装置が在圏しているセルのキャリア周波数とは異なるキャリア周波数のセルの無線品質を測定する場合において、スループット低下を抑制することが可能な技術を提供する。【解決手段】基地局とユーザ装置とを有する無線通信システムにおけるユーザ装置であって、当該ユーザ装置と前記基地局との間で同期された無線信号におけるサブフレーム番号のうち、前記基地局とは異なる他の基地局から周期的に送信される同期信号を受信可能なサブフレーム番号を測定する測定部と、測定されたサブフレーム番号を含む測定結果情報を前記基地局に送信する送信部と、を有するユーザ装置を提供する。【選択図】図５
2017041676.tif 000002
【特許請求の範囲】
【請求項１】
基地局とユーザ装置とを有する無線通信システムにおけるユーザ装置であって、
当該ユーザ装置と前記基地局との間で同期された無線信号におけるサブフレーム番号のうち、前記基地局とは異なる他の基地局から周期的に送信される同期信号を受信可能なサブフレーム番号を測定する測定部と、
測定されたサブフレーム番号を含む測定結果情報を前記基地局に送信する送信部と、
を有するユーザ装置。
【請求項２】
前記測定部は、前記基地局とは異なる複数の他の基地局から周期的に送信される同期信号の各々から、複数の物理セル番号と、前記複数の物理セル番号の各々に対応するサブフレーム番号とを測定し、
前記送信部は、前記複数の物理セル番号と前記複数の物理セル番号の各々に対応するサブフレーム番号とを含む前記測定結果情報を前記基地局に送信する、
請求項１に記載のユーザ装置。
【請求項３】
基地局とユーザ装置とを有する無線通信システムにおける基地局であって、
前記ユーザ装置と当該基地局との間で同期された無線信号におけるサブフレーム番号のうち、当該基地局とは異なる他の基地局から周期的に送信される同期信号を受信可能なサブフレーム番号を含む測定結果情報を、前記ユーザ装置から受信する受信部と、
前記測定結果情報に含まれるサブフレーム番号に基づいてギャップ区間を決定する決定部と、
決定された前記ギャップ区間を前記ユーザ装置に送信する送信部と、
を有する基地局。
【請求項４】
前記測定結果情報は、複数の物理セル番号と前記複数の物理セル番号の各々に対応するサブフレーム番号とを含み、
前記決定部は、複数の物理セル番号の優先度を示す情報と前記複数の物理セル番号と前記複数の物理セル番号の各々に対応するサブフレーム番号とに基づいて、前記ギャップ区間のギャップ長さが６ｍｓ以下になるように前記ギャップ区間を決定する、請求項３に記載の基地局。
【請求項５】
前記ギャップ区間により前記ユーザ装置が通信不可能なサブフレーム以外で無線リソースのスケジューリングを行うスケジューリング部を更に有する、請求項３又は４に記載の基地局。
【請求項６】
基地局とユーザ装置とを有する無線通信システムにおけるユーザ装置であって、
当該ユーザ装置と前記基地局との間で同期された無線信号におけるサブフレーム番号のうち、前記基地局とは異なる他の基地局から周期的に送信される同期信号を受信可能なサブフレーム番号を測定する測定部と、
測定されたサブフレーム番号に基づいてギャップ区間を決定する決定部と、
決定されたギャップ区間を前記基地局に送信する送信部と、
を有するユーザ装置。
【請求項７】
前記測定部は、複数の他の基地局から周期的に送信される同期信号の各々から、複数の物理セル番号と、前記複数の物理セル番号の各々に対応するサブフレーム番号とを測定し、
前記決定部は、複数の物理セル番号の優先度を示す情報と前記複数の物理セル番号と前記複数の物理セル番号の各々に対応するサブフレーム番号とに基づいて、前記ギャップ区間のギャップ長さが６ｍｓ以下になるように前記ギャップ区間を決定する、請求項６に記載のユーザ装置。
【請求項８】
基地局とユーザ装置とを有する無線通信システムにおける基地局であって、
当該基地局とは異なる他の基地局から、前記他の基地局が周期的に送信する同期信号の送信タイミングを取得する取得部と、
取得した前記送信タイミングに基づいて、前記ユーザ装置と当該基地局との間で同期された無線信号におけるサブフレーム番号のうち、前記他の基地局から周期的に送信される同期信号を受信可能なサブフレーム番号を特定し、特定したサブフレーム番号に基づいてギャップ区間を決定する決定部と、
決定されたギャップ区間を前記ユーザ装置に送信する送信部と、
を有する基地局。
【請求項９】
基地局とユーザ装置とを有する無線通信システムにおけるユーザ装置が実行する測定方法であって、
当該ユーザ装置と前記基地局との間で同期された無線信号におけるサブフレーム番号のうち、前記基地局とは異なる他の基地局から周期的に送信される同期信号を受信可能なサブフレーム番号を測定する測定ステップと、
測定されたサブフレーム番号を含む測定結果情報を前記基地局に送信する送信ステップと、
を有する測定方法。
【請求項１０】
基地局とユーザ装置とを有する無線通信システムにおける基地局が実行するギャップ区間決定方法であって、
前記ユーザ装置と当該基地局との間で同期された無線信号におけるサブフレーム番号のうち、当該基地局とは異なる他の基地局から周期的に送信される同期信号を受信可能なサブフレーム番号を含む測定結果情報を、前記ユーザ装置から受信する受信ステップと、
前記測定結果情報に含まれるサブフレーム番号に基づいてギャップ区間を決定する決定ステップと、
決定された前記ギャップ区間を前記ユーザ装置に送信する送信ステップと、
を有するギャップ区間決定方法。
【発明の詳細な説明】
【技術分野】
【０００１】
本発明は、ユーザ装置、基地局、測定方法及びギャップ区間決定方法に関する。
【背景技術】
【０００２】
ＬＴＥ（Long Term Evolution）システムでは、ユーザ装置をより品質の良いセルに接続させるため、又は、セル間のロードバランシング等を行うために、ユーザ装置に各セルの無線品質を測定させると共に、測定させた無線品質を基地局に報告させるようにしている。
【０００３】
また、ユーザ装置は、自身が在圏しているセルのキャリア周波数（中心周波数）とは異なるキャリア周波数のセル（Inter-frequency及びInter-RAT）の無線品質を測定する場合、ＲＦ部の周波数切替え及び無線品質の測定を行うためにＤＬ（Downlink）及びＵＬ（Uplink）の通信を停止する。通信が停止する時間は、Ｍｅａｓｕｒｅｍｅｎｔ  ｇａｐと呼ばれる。
【０００４】
図１は、Ｍｅａｓｕｒｅｍｅｎｔ  ｇａｐの概要を説明するための図である。図１に示すようにＧａｐ区間（図１の「２」）は周期的に存在している。Ｇａｐ区間では、ユーザ装置はＤＬ及びＵＬの通信を停止し、ＲＦ部を他キャリアの周波数（Inter-frequency, Inter-RAT）に切替えてセルの無線品質の測定を行う。また、ユーザ装置は、Ｇａｐ区間以外（図１の「１」）では基地局から割当てられた無線リソースを用いてデータ通信を行う。
【先行技術文献】
【非特許文献】
【０００５】
【非特許文献１】３ＧＰＰ  ＴＳ３６．３００  Ｖ１２．６．０（２０１５−０６）
【発明の概要】
【発明が解決しようとする課題】
【０００６】
Ｍｅａｓｕｒｅｍｅｎｔ  ｇａｐを設けるＧａｐ区間及びＧａｐ区間の周期(Gap Pattern及びGap offsetで指定される)は、基地局が決定してユーザ装置に通知する。図２は３ＧＰＰの仕様で規定されているＧａｐ  Ｐａｔｔｅｒｎの設定値である。図２によれば、Ｇａｐ区間の長さ（Measurement Gap Length）は、６ｍｓに設定されている。
【０００７】
また、基地局は、Ｇａｐ区間に該当する時間は、ＤＬ及びＵＬにおけるスケジューリングを停止することで、ユーザ装置が通信を停止している時間帯に無駄に無線リソースを割当てないようにしている。ここで、ユーザ装置ＵＥは、下りデータを受信したサブフレームから４ｍｓ後のサブフレームでＡＣＫ又はＮＡＣＫを基地局に送信することが３ＧＰＰの仕様で規定されている。従って、基地局は、Ｇａｐ区間に加えて、ユーザ装置がＡＣＫ／ＮＡＣＫを送信するタイミングがＧａｐ区間に含まれてしまうサブフレームについてもスケジューリングを停止する必要がある。具体的には、基地局は、Ｇａｐ区間（６ｍｓ）に加え、Ｇａｐ区間前の４ｍｓの合計１０ｍｓにおいてスケジューリングを停止する必要がある。
【０００８】
このように、Ｇａｐ区間ではユーザ装置はＤＬ及びＵＬの通信を停止し、基地局もスケジューリングを停止するため、スループットが低下（ＵＬで最大３５％、ＤＬで最大２５％）してしまうことになる。
【０００９】
開示の技術は上記に鑑みてなされたものであって、ユーザ装置が在圏しているセルのキャリア周波数とは異なるキャリア周波数のセルの無線品質を測定する場合において、スループット低下を抑制することが可能な技術を提供することを目的とする。
【課題を解決するための手段】
【００１０】
開示の技術のユーザ装置は、基地局とユーザ装置とを有する無線通信システムにおけるユーザ装置であって、当該ユーザ装置と前記基地局との間で同期された無線信号におけるサブフレーム番号のうち、前記基地局とは異なる他の基地局から周期的に送信される同期信号を受信可能なサブフレーム番号を測定する測定部と、測定されたサブフレーム番号を含む測定結果情報を前記基地局に送信する送信部と、を有する。
【００１１】
また、開示の技術の基地局は、基地局とユーザ装置とを有する無線通信システムにおける基地局であって、前記ユーザ装置と当該基地局との間で同期された無線信号におけるサブフレーム番号のうち、当該基地局とは異なる他の基地局から周期的に送信される同期信号を受信可能なサブフレーム番号を含む測定結果情報を、前記ユーザ装置から受信する受信部と、前記測定結果情報に含まれるサブフレーム番号に基づいてギャップ区間を決定する決定部と、決定された前記ギャップ区間を前記ユーザ装置に送信する送信部と、を有する。
【発明の効果】
【００１２】
開示の技術によれば、ユーザ装置が在圏しているセルのキャリア周波数とは異なるキャリア周波数のセルの無線品質を測定する場合において、スループット低下を抑制することが可能な技術が提供される。
【図面の簡単な説明】
【００１３】
【図１】Ｍｅａｓｕｒｅｍｅｎｔ  ｇａｐの概要を説明するための図である。
【図２】Ｇａｐ  Ｐａｔｔｅｒｎの設定値を示す図である。
【図３】本実施の形態における無線通信システムの概要を示す図である。
【図４】Ｇａｐ区間を説明するための図である。
【図５】Ｇａｐ区間の決定例を説明するための図である。
【図６】第一の実施の形態におけるユーザ装置の機能構成例を示す図である。
【図７】第一の実施の形態における基地局の機能構成例を示す図である。
【図８】第一の実施の形態における無線通信システムが行う処理手順を示すシーケンス図である。
【図９】第二の実施の形態におけるユーザ装置の機能構成例を示す図である。
【図１０】第二の実施の形態における基地局の機能構成例を示す図である。
【図１１】第二の実施の形態における無線通信システムが行う処理手順を示すシーケンス図である。
【図１２】第三の実施の形態におけるユーザ装置の機能構成例を示す図である。
【図１３】第三の実施の形態における基地局の機能構成例を示す図である。
【図１４】第三の実施の形態における無線通信システムが行う処理手順を示すシーケンス図である。
【発明を実施するための形態】
【００１４】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１５】
また、以下の実施の形態では、サブフレーム長が１ｍｓであり、かつＧａｐ区間が６ｍｓであるＬＴＥを例に説明するが、本実施の形態では、ＬＴＥとは異なるサブフレーム長及びＧａｐ区間が適用される無線通信システムにも適用することができる。
【００１６】
＜システム全体構成＞
図３は、本実施の形態における無線通信システムの概要を示す図である。図３に示すように、本実施の形態における無線通信システムは、ユーザ装置ＵＥと、複数の基地局（基地局ｅＮＢａ〜基地局ｅＮＢｄ）とを有する。基地局ｅＮＢａはユーザ装置ＵＥが在圏している在圏セルａを構成し、基地局ｅＮＢｂは隣接セルｂを構成し、基地局ｅＮＢｃは隣接セルｃを構成し、基地局ｅＮＢｄは隣接セルｄを構成している。図３にはユーザ装置ＵＥが１つ示されているが、本実施の形態における無線通信システムには複数のユーザ装置ＵＥが含まれていてもよい。また、以下の説明において、基地局ｅＮＢａ〜基地局ｅＮＢｄのうち任意の基地局を「基地局ｅＮＢ」と表す。
【００１７】
基地局ｅＮＢａ〜基地局ｅＮＢｄはそれぞれネットワークで接続されており、相互に通信することができる。また、基地局ｅＮＢｂ〜ｄは、自身が構成する隣接セルｂ〜ｄで同期信号（ＰＳＳ：Primary Synchronization signal、ＳＳＳ：Secondary Synchronization signal）及び参照信号（ＲＳ：Reference Signal）を送信している。
【００１８】
ユーザ装置ＵＥは基地局ｅＮＢａとコネクションを確立しており、基地局ｅＮＢａから指示されたＧａｐ区間及びＧａｐ区間の周期に従って、受信可能な隣接セルｂ〜ｄの参照信号（ＲＳ）の無線品質を測定して基地局ｅＮＢａに報告する。基地局ｅＮＢａは、ユーザ装置ＵＥから報告された無線品質に基づき、必要に応じてＨＯ（Hand over）先の隣接セルを決定してユーザ装置ＵＥにＨＯを指示する等の処理を行う。
【００１９】
（従来のＧａｐ区間）
ここで、従来のＬＴＥにおいて、Ｇａｐ区間が６ｍｓに決定されている理由を説明する。ユーザ装置ＵＥは、Ｇａｐ区間でキャリア周波数が異なるセルの無線品質の測定を行う際、測定対象のセルを特定するために、当該セルの同期信号（ＰＳＳ／ＳＳＳ）を補足することで当該セルの物理セル識別子（ＰＣＩ：Physical Cell Identity）を確認する必要がある。ＰＳＳ／ＳＳＳは、５ｍｓ毎のサブフレーム（サブフレーム０番及び５番）で周期的に送信されているが、ユーザ装置ＵＥはどのタイミングでＰＳＳ／ＳＳＳを補足できるのかを予め把握していないため、少なくとも５ｍｓは当該セルを監視する必要がある。また、ユーザ装置ＵＥ自身のＲＦ切替えに１ｍｓ程度要するため、合計６ｍｓのＧａｐ区間が必要になる。図４に示すように、Ｇａｐ区間が６ｍｓであることで、隣接セル間でＰＳＳ／ＳＳＳを含むサブフレームの位置が同期していない場合であっても、全ての隣接セルのＰＳＳ／ＳＳＳがＧａｐ区間に収まることがわかる。
【００２０】
（本実施の形態におけるＧａｐ区間の決定処理の例）
本実施の形態では、従来は６ｍｓに決定されているＧａｐ区間を６ｍｓ以下（好ましくは５ｍｓ以下）に短くすることで、スループットの低下を抑制するようにする。
【００２１】
隣接セルｂ〜ｄで送信されているＰＳＳ／ＳＳＳの送信タイミングは、必ずしもＧａｐ区間（６ｍｓ）に分散しているとは限らず、ある程度片寄りがあることが考えられる。そこで、ＰＳＳ／ＳＳＳの送信タイミングに片寄りがある場合、全ての隣接セルから送信されるＰＳＳ／ＳＳＳを受信可能な区間をＧａｐ区間に決定することで、Ｇａｐ区間を短縮することが可能である。
【００２２】
例えば、図５（ａ）に示すように、隣接セルｂ〜ｄで送信されているＰＳＳ／ＳＳＳの送信タイミングが、在圏セルａのサブフレーム１番及び２番の区間に納まっている場合が考えられる。この場合、サブフレーム１番及び２番のみをＧａｐ区間に決定してもよい。これにより、Ｇａｐ区間は２ｍｓに短縮される。また、サブフレーム１番及び２番のみをＧａｐ区間にすることで、基地局ｅＮＢａがスケジューリングを停止するサブフレームは、Ｇａｐ区間及び当該Ｇａｐ区間の直前のサブフレーム７番、８番になる。すなわち、基地局ｅＮＢがスケジューリングを停止する時間は４ｍｓに短縮される。
【００２３】
なお、ＬＴＥにおける無線通信システムでは、全ての隣接セルから送信されるサブフレームの送信タイミングが揃うように制御されている同期ネットワークと、当該サブフレームの送信タイミングが揃っていない非同期ネットワークとが存在する。図５（ａ）の例は、無線通信システムが同期ネットワークである場合、又は、非同期ネットワークであっても偶然にサブフレームの送信タイミングが揃っている場合に相当する。
【００２４】
次に、隣接セルｂ〜ｄで送信されているＰＳＳ／ＳＳＳの送信タイミングが分散している場合、一部の隣接セルの無線品質測定を省略することで、Ｇａｐ区間を短縮するようにしてもよい。図５（ｂ）は、隣接セルｂの無線品質測定を省略してＧａｐ区間を短縮した場合のＧａｐ区間の決定例を示している。図５（ｂ）の例では、サブフレーム０番、１番、３番及び４番がＧａｐ区間に決定されている。すなわち、Ｇａｐ区間は４ｍｓに短縮される。また、図５（ｂ）のようにＧａｐ区間が決定されることで、基地局ｅＮＢａがスケジューリングを停止するサブフレームは、Ｇａｐ区間及び当該Ｇａｐ区間の直前のサブフレーム６番、７番及び９番になる。すなわち、基地局ｅＮＢがスケジューリングを停止する時間は７ｍｓに短縮される。
【００２５】
同様に、隣接セルｄの無線品質測定を省略してＧａｐ区間を短縮するようにしてもよい。この場合、サブフレーム０番〜２番までをＧａｐ区間に決定することで、Ｇａｐ区間は３ｍｓに短縮される。同様に、隣接セルｃの無線品質測定を省略してＧａｐ区間を短縮するようにしてもよい。この場合、サブフレーム１番〜４番までをＧａｐ区間に決定することで、Ｇａｐ区間は４ｍｓに短縮される。
【００２６】
どの隣接セルの無線品質測定を省略するのかを決定する方法について、本実施の形態における無線通信システムでは、無線品質測定を省略する隣接セルをランダムに決定するようにしてもよいし、各隣接セルの優先度を示す情報（ＰＣＩと優先度とが対応づけられた情報）に基づいて決定するようにしてもよい。また、各隣接セルの優先度を、ＰＣＩの値を用いて定めるようにしてもよい。例えば、ＰＣＩの値（０〜５０３）が大きい順（又は小さい順）に優先度を定めるようにしてもよい。また、各隣接セルの優先度を、在圏セルのサブフレーム番号に基づいて決定するようにしてもよい。例えば、図５（ｂ）の例では、ＰＳＳ／ＳＳＳの送信タイミングに該当するサブフレーム番号が小さい順、すなわち、隣接セルｃ、隣接セルｂ、隣接セルｄの順に優先度が高いと決定するようにしてもよい。
【００２７】
また、本実施の形態における無線通信システムでは、無線品質測定を省略する隣接セルの数を決定するために、Ｇａｐ区間の目標値（例えば、最大３ｍｓ、最大４ｍｓ等）を示す情報を用いて、Ｇａｐ区間の長さが目標値以内に収まるように無線品質測定を省略する隣接セルを決定するようにしてもよい。例えば、図５（ｂ）の例において、Ｇａｐ区間の目標値が３ｍｓであると仮定した場合、隣接セルｄの無線品質測定を省略することでＧａｐ区間の長さを３ｍｓにすることができる。更に、Ｇａｐ区間の長さが目標値以内に収まるように無線品質測定を省略する隣接セルを決定する際に、仮に複数の隣接セルが省略候補に挙がった場合、更に上述の優先度に従って無線品質測定を省略する隣接セルを決定するようにしてもよい。
【００２８】
また、本実施の形態における無線通信システムでは、無線品質の測定が省略される隣接セルが固定化されないようにするため、一旦決定したＧａｐ区間を所定の間隔でスライドさせるようにしてもよいし、無線品質の測定を省略する隣接セルを所定の間隔で変更するようにしてもよい。具体的には、最初は図５（ｂ）に示すように隣接セルｂの測定を省略してサブフレーム０番、１番、３番及び４番をＧａｐ区間を決定し、次のタイミングでは隣接セルｃの測定を省略してサブフレーム１番〜４番をＧａｐ区間に決定し、更に次のタイミングでは隣接セルｄの測定を省略してサブフレーム０番〜２番をＧａｐ区間に決定するという動作を繰り返し行うようにしてもよい。
【００２９】
また、本実施の形態における無線通信システムでは、以上説明したＧａｐ区間の決定処理を所定の間隔で繰り返し行うようにしてもよい。ユーザ装置ＵＥの移動に伴いユーザ装置ＵＥが受信可能な隣接セルが変化し、適切なＧａｐ区間も変化することが想定されるためである。
【００３０】
また、本実施の形態における無線通信システムでは、上述の処理手順により決定したＧａｐ区間に、ユーザ装置ＵＥのＲＦ切替え時間を考慮して更に１ｍｓ又は２ｍｓを加えるようにしてもよい。
【００３１】
なお、上述の各隣接セルの優先度を示す情報及びＧａｐ区間の目標値を示す情報は、必要に応じて、基地局ｅＮＢからユーザ装置ＵＥにＲＲＣ信号や報知情報（ＳＩＢ）により通知されてもよい。
【００３２】
＜処理手順及び機能構成＞
以下、本実施の形態の無線通信システムが行う処理手順及び無線通信システムの機能構成について、第一の実施の形態、第二の実施の形態及び第三の複数の実施に分けて説明する。また、ユーザ装置ＵＥ及び基地局ｅＮＢは、第一の実施の形態、第二の実施の形態及び第三の実施の形態を全て実行可能であってもよいし、任意の実施の形態を実行可能であってもよい。
【００３３】
［第一の実施の形態］
第一の実施の形態では、ユーザ装置ＵＥは、各隣接セルで送信されているＰＳＳ／ＳＳＳの送信タイミングが在圏セルａのサブフレームのうちどのサブフレーム番号に該当するのかを測定して基地局ｅＮＢに通知する。続いて、基地局ｅＮＢは、通知された測定結果に基づいてＧａｐ区間を決定し、ユーザ装置ＵＥに通知する。
【００３４】
（ユーザ装置の機能構成）
図６は、第一の実施の形態に係るユーザ装置の機能構成の一例を示す図である。図６に示すように、ユーザ装置ＵＥは、無線信号送信部１０１、無線信号受信部１０２、受信タイミング測定部１０３、及び品質測定部１０４を有する。図６は、ユーザ装置ＵＥにおいて本発明の実施の形態に特に関連する機能部のみを示すものであり、少なくともＬＴＥに準拠した動作を行うための図示しない機能も有するものである。また、図６に示す機能構成は一例に過ぎない。本実施の形態に係る動作を実行できるのであれば、機能区分や機能部の名称はどのようなものでもよい。
【００３５】
無線信号送信部１０１は、ユーザ装置ＵＥから送信されるべき上位のレイヤの信号から、物理レイヤの各種信号を生成し、無線送信する機能を含む。
【００３６】
無線信号受信部１０２は、基地局ｅＮＢから各種の信号を無線受信し、受信した物理レイヤの信号からより上位のレイヤの信号を取得する機能を含む。
【００３７】
受信タイミング測定部１０３は、ユーザ装置ＵＥと基地局ｅＮＢａとの間で同期された無線信号におけるサブフレーム番号のうち、基地局ｅＮＢｂ〜ｄから周期的に送信される同期信号（ＰＳＳ／ＳＳＳ）を受信可能なサブフレーム番号と当該同期信号から物理セルＩＤ（ＰＣＩ）とを測定する機能を有する。また、受信タイミング測定部１０３は、測定した物理セルＩＤと当該物理セルＩＤに対応するサブフレーム番号（在圏セルのサブフレーム番号）とを含む測定結果情報を基地局ｅＮＢに送信するように、無線信号送信部１０１に指示する。
【００３８】
品質測定部１０４は、基地局ｅＮＢａから指示されたＧａｐ区間において基地局ｅＮＢｂ〜ｄから送信される無線信号に含まれる参照信号（ＲＳ）の無線品質を測定し、無線信号送信部１０１を介して基地局ｅＮＢａに通知する機能を有する。品質測定部１０４が測定する無線品質は、例えばＲＳＲＰ（Reference Signal Receiving Power）、ＲＳＳＩ（Received Signal Strength Indicator）、ＲＳＲＱ（Received Signal Receiving Quality）などである。
【００３９】
（基地局の機能構成）
図７は、第一の実施の形態に係る基地局の機能構成の一例を示す図である。図７に示すように、基地局ｅＮＢは、無線信号送信部１５１、無線信号受信部１５２、Ｇａｐ区間決定部１５３、及びスケジューリング部１５４を有する。図７は、基地局ｅＮＢにおいて本発明の実施の形態に特に関連する機能部のみを示すものであり、少なくともＬＴＥに準拠した動作を行うための図示しない機能も有するものである。また、図７に示す機能構成は一例に過ぎない。本実施の形態に係る動作を実行できるのであれば、機能区分や機能部の名称はどのようなものでもよい。
【００４０】
無線信号送信部１５１は、基地局ｅＮＢから送信されるべき上位のレイヤの信号から、物理レイヤの各種信号を生成し、無線送信する機能を含む。また、無線信号送信部１５１は、同期信号及び参照信号を送信する機能を含む。
【００４１】
無線信号受信部１５２は、ユーザ装置ＵＥから各種の信号を無線受信し、受信した物理レイヤの信号からより上位のレイヤの信号を取得する機能を含む。また、無線信号受信部１５２は、ユーザ装置ＵＥから測定結果情報を受信する機能を有する。
【００４２】
Ｇａｐ区間決定部１５３は、ユーザ装置ＵＥから通知された測定結果情報に基づいてＧａｐ区間を決定する機能を有する。また、Ｇａｐ区間決定部１５３は、サブフレーム番号に基づいてＧａｐ区間の長さが６ｍｓ以下になるようにＧａｐ区間を決定してもよいし、複数の物理セル番号の優先度を示す情報と複数の物理セル番号と複数の物理セル番号の各々に対応するサブフレーム番号とに基づいて、ｇａｐ区間の長さが６ｍｓ以下になるようにＧａｐ区間を決定するようにしてもよい。すなわち、Ｇａｐ区間決定部１５３は、前述の「（本実施の形態におけるＧａｐ区間の決定処理）」で説明した処理手順によりＧａｐ区間を決定する機能を有している。
【００４３】
スケジューリング部１５４は、Ｇａｐ区間の周期及びＧａｐ区間決定部１５３で決定されたＧａｐ区間に基づいて、ユーザ装置ＵＥが通信不可能なサブフレーム以外で無線リソースのスケジューリングを行う機能を有する。
【００４４】
（処理手順）
図８は、第一の実施の形態における無線通信システムが行う処理手順を示すシーケンス図である。
【００４５】
ステップＳ１０１で、基地局ｅＮＢａの無線信号送信部１５１は、ユーザ装置ＵＥに測定指示信号を送信する。測定指示信号には、Ｇａｐ区間及びＧａｐ区間の周期と測定対象のキャリア周波数とを含む。測定指示信号は、ＲＲＣ信号であってもよい。また、例えばｍｅａｎｓＧａｐＣｏｎｆｉｇを含むＲＲＣ信号であってもよい。
【００４６】
ステップＳ１０２で、ユーザ装置ＵＥの受信タイミング測定部１０３は、測定指示信号で指定されたＧａｐ区間において、ＲＦの周波数をステップＳ１０１で通知された測定対象のキャリア周波数に切替えて、基地局ｅＮＢｂ〜ｄから周期的に送信されている同期信号（ＰＳＳ／ＳＳＳ）を受信可能なサブフレーム番号（在圏セルａのサブフレーム番号）と同期信号の物理セルＩＤとを測定する。また、ユーザ装置ＵＥの品質測定部１０４は、測定指示信号で指定されたＧａｐ区間において、基地局ｅＮＢｂ〜ｄから送信される無線信号に含まれる参照信号（ＲＳ）の無線品質を測定してもよい。
【００４７】
ステップＳ１０３で、ユーザ装置ＵＥの無線信号送信部１０１は、物理セルＩＤと、当該物理セルＩＤに対応するサブフレーム番号とを含む測定結果情報を基地局ｅＮＢａに送信する。なお、測定結果情報には、ステップＳ１０２の処理手順で測定された参照信号の無線品質が含まれていてもよい。また、測定結果情報は、ＲＲＣ信号により送信されてもよいし、Ｍｅａｓｕｒｅｍｅｎｔ  Ｒｅｐｏｒｔメッセージにより送信されてもよい。
【００４８】
ステップＳ１０４で、基地局ｅＮＢａのＧａｐ区間決定部１５３は、受信した測定結果情報を用いてＧａｐ区間を決定する。
【００４９】
ステップＳ１０５で、基地局ｅＮＢａの無線信号送信部１５１は、決定したＧａｐ区間をユーザ装置ＵＥに通知する。Ｇａｐ区間の通知はＲＲＣ信号により行われてもよい。また、Ｇａｐ区間はＩＥ（Information Element）で表現されてもよいし、Ｇａｐ  ｏｆｆｓｅｔ及び新たに規定されたＧａｐ  Ｐａｔｔｅｒｎ（例えばMeasurement Gap Lengthが6ms以下であるGap Pattern）を含むｍｅａｎｓＧａｐＣｏｎｆｉｇで表現されてもよい。
【００５０】
ステップＳ１０６で、基地局ｅＮＢａのスケジューリング部１５４は、Ｇａｐ区間の周期及びステップＳ１０５で決定されたＧａｐ区間に基づいて、ユーザ装置ＵＥが通信不可能なサブフレーム以外で無線リソースのスケジューリングを行う。
【００５１】
ステップＳ１０７で、ユーザ装置ＵＥの品質測定部１０４は、ステップＳ１０５で通知されたＧａｐ区間に基づいて、基地局ｅＮＢｂ〜ｄから送信される無線信号に含まれる参照信号（ＲＳ）の無線品質を測定し、基地局ｅＮＢａに随時報告（Ｍｅａｓｕｒｅｍｅｎｔ  Ｒｅｐｏｒｔメッセージを送信）する。
【００５２】
［第二の実施の形態］
第二の実施の形態では、第一の実施の形態とは異なり、ユーザ装置ＵＥ自身が測定結果に基づいてＧａｐ区間を決定し、基地局ｅＮＢａに通知する。なお、特に言及しない点については第一の実施の形態と同一でよい。
【００５３】
（ユーザ装置の機能構成）
図９は、第二の実施の形態に係るユーザ装置の機能構成の一例を示す図である。図９に示すように、ユーザ装置ＵＥは、無線信号送信部２０１、無線信号受信部２０２、受信タイミング測定部２０３、Ｇａｐ区間決定部２０４及び品質測定部２０５を有する。図９は、ユーザ装置ＵＥにおいて本発明の実施の形態に特に関連する機能部のみを示すものであり、少なくともＬＴＥに準拠した動作を行うための図示しない機能も有するものである。また、図９に示す機能構成は一例に過ぎない。本実施の形態に係る動作を実行できるのであれば、機能区分や機能部の名称はどのようなものでもよい。
【００５４】
無線信号送信部２０１及び無線信号受信部２０２は、第一の実施の形態における無線信号送信部１０１及び無線信号受信部１０２と同一であるため説明は省略する。
【００５５】
受信タイミング測定部２０３は、測定した物理セルＩＤと当該物理セルＩＤに対応するサブフレーム番号とＧａｐ区間決定部に通知する。
【００５６】
Ｇａｐ区間決定部２０４は、受信タイミング測定部２０３から通知された測定した物理セルＩＤと当該物理セルＩＤに対応するサブフレーム番号とに基づいてＧａｐ区間を決定する機能を有する。また、Ｇａｐ区間決定部２０４は、サブフレーム番号に基づいてＧａｐ区間の長さが６ｍｓ以下になるようにＧａｐ区間を決定してもよいし、複数の物理セル番号の優先度を示す情報と複数の物理セル番号と複数の物理セル番号の各々に対応するサブフレーム番号とに基づいて、ｇａｐ区間の長さが６ｍｓ以下になるようにＧａｐ区間を決定するようにしてもよい。すなわち、Ｇａｐ区間決定部２０４は、前述の「（本実施の形態におけるＧａｐ区間の決定処理）」で説明した処理手順によりＧａｐ区間を決定する機能を有している。また、Ｇａｐ区間決定部２０４は、決定したＧａｐ区間を基地局ｅＮＢに送信するように、無線信号送信部２０１に指示する。
【００５７】
品質測定部２０５は、Ｇａｐ区間決定部２０４で決定したＧａｐ区間において基地局ｅＮＢｂ〜ｄから送信される無線信号に含まれる参照信号（ＲＳ）の無線品質を測定し、無線信号送信部２０１を介して基地局ｅＮＢａに通知する機能を有する。無線品質は、例えばＲＳＲＰ、ＲＳＳＩ、ＲＳＲＱなどである。
【００５８】
（基地局の機能構成）
図１０は、第二の実施の形態に係る基地局の機能構成の一例を示す図である。図１０に示すように、基地局ｅＮＢは、無線信号送信部２５１、無線信号受信部２５２及びスケジューリング部２５３を有する。図１０は、基地局ｅＮＢにおいて本発明の実施の形態に特に関連する機能部のみを示すものであり、少なくともＬＴＥに準拠した動作を行うための図示しない機能も有するものである。また、図１０に示す機能構成は一例に過ぎない。本実施の形態に係る動作を実行できるのであれば、機能区分や機能部の名称はどのようなものでもよい。
【００５９】
無線信号送信部２５１は、基地局ｅＮＢから送信されるべき上位のレイヤの信号から、物理レイヤの各種信号を生成し、無線送信する機能を含む。また、無線信号送信部２５１は、同期信号及び参照信号を送信する機能を含む。
【００６０】
無線信号受信部２５２は、ユーザ装置ＵＥから各種の信号を無線受信し、受信した物理レイヤの信号からより上位のレイヤの信号を取得する機能を含む。また、無線信号受信部２５２は、ユーザ装置ＵＥからＧａｐ区間を受信する機能を有する。
【００６１】
スケジューリング部２５３は、Ｇａｐ区間の周期及び無線信号受信部２５２で受信したＧａｐ区間に基づいて、ユーザ装置ＵＥが通信不可能なサブフレーム以外で無線リソースのスケジューリングを行う機能を有する。
【００６２】
（処理手順）
図１１は、第二の実施の形態における無線通信システムが行う処理手順を示すシーケンス図である。
【００６３】
ステップＳ２０１で、基地局ｅＮＢａの無線信号送信部２５１は、ユーザ装置ＵＥに測定指示信号を送信する。測定指示信号には、Ｇａｐ区間及びＧａｐ区間の周期と測定対象のキャリア周波数とを含む。測定指示信号は、例えばｍｅａｎｓＧａｐＣｏｎｆｉｇを含むＲＲＣ信号であってもよい。
【００６４】
ステップＳ２０２で、ユーザ装置ＵＥの受信タイミング測定部２０３は、測定指示信号で指定されたＧａｐ区間において、ＲＦの周波数をステップＳ２０１で通知された測定対象のキャリア周波数に切替えて、基地局ｅＮＢｂ〜ｄから周期的に送信されている同期信号（ＰＳＳ／ＳＳＳ）を受信可能なサブフレーム番号と同期信号の物理セルＩＤとを測定する。
【００６５】
ステップＳ２０３で、ユーザ装置ＵＥのＧａｐ区間決定部２０４は、ステップＳ２０２における測定結果を用いてＧａｐ区間を決定する。
【００６６】
ステップＳ２０４で、ユーザ装置ＵＥの無線信号送信部２０１は、決定したＧａｐ区間を基地局ｅＮＢａに通知する。Ｇａｐ区間の通知はＲＲＣ信号により行われてもよい。また、Ｇａｐ区間はＩＥで表現されてもよいし、Ｇａｐ  ｏｆｆｓｅｔ及び新たに規定されたＧａｐ  Ｐａｔｔｅｒｎを含むｍｅａｎｓＧａｐＣｏｎｆｉｇで表現されてもよい。
【００６７】
ステップＳ２０５で、基地局ｅＮＢａのスケジューリング部２５３は、Ｇａｐ区間の周期及びステップＳ２０５で受信したＧａｐ区間に基づいて、ユーザ装置ＵＥが通信不可能なサブフレーム以外で無線リソースのスケジューリングを行う。
【００６８】
ステップＳ２０６で、ユーザ装置ＵＥの品質測定部１０４は、ステップＳ２０４で通知されたＧａｐ区間に基づいて、基地局ｅＮＢｂ〜ｄから送信される無線信号に含まれる参照信号（ＲＳ）の無線品質を測定し、基地局ｅＮＢａに随時報告（Ｍｅａｓｕｒｅｍｅｎｔ  Ｒｅｐｏｒｔメッセージを送信）する。
【００６９】
［第三の実施の形態］
第三の実施の形態では、基地局ｅＮＢの間でＰＳＳ／ＳＳＳの送信タイミングに関する情報を交換し、各々の基地局ｅＮＢがＧａｐ区間を決定してユーザ装置ＵＥに通知する。
【００７０】
（ユーザ装置の機能構成）
図１２は、第三の実施の形態に係るユーザ装置の機能構成の一例を示す図である。図１２に示すように、ユーザ装置ＵＥは、無線信号送信部３０１、無線信号受信部３０２及び品質測定部３０３を有する。図１２は、ユーザ装置ＵＥにおいて本発明の実施の形態に特に関連する機能部のみを示すものであり、少なくともＬＴＥに準拠した動作を行うための図示しない機能も有するものである。また、図１２に示す機能構成は一例に過ぎない。本実施の形態に係る動作を実行できるのであれば、機能区分や機能部の名称はどのようなものでもよい。
【００７１】
無線信号送信部３０１及び無線信号受信部３０２は、第一の実施の形態における無線信号送信部１０１及び無線信号受信部１０２と同一であるため説明は省略する。
【００７２】
品質測定部３０３は、基地局ｅＮＢａから指示されたＧａｐ区間において、基地局ｅＮＢｂ〜ｄから送信される無線信号に含まれる参照信号（ＲＳ）の無線品質を測定し、無線信号送信部３０１を介して基地局ｅＮＢａに通知する機能を有する。無線品質は、例えばＲＳＲＰ、ＲＳＳＩ、ＲＳＲＱなどである。
【００７３】
（基地局の機能構成）
図１３は、第三の実施の形態に係る基地局の機能構成の一例を示す図である。図１３に示すように、基地局ｅＮＢは、無線信号送信部３５１、無線信号受信部３５２、基地局間通信部３５３、タイミング取得部３５４、Ｇａｐ区間決定部３５５、及びスケジューリング部３５６を有する。図１３は、基地局ｅＮＢにおいて本発明の実施の形態に特に関連する機能部のみを示すものであり、少なくともＬＴＥに準拠した動作を行うための図示しない機能も有するものである。また、図１３に示す機能構成は一例に過ぎない。本実施の形態に係る動作を実行できるのであれば、機能区分や機能部の名称はどのようなものでもよい。
【００７４】
無線信号送信部３５１は、基地局ｅＮＢから送信されるべき上位のレイヤの信号から、物理レイヤの各種信号を生成し、無線送信する機能を含む。また、無線信号送信部３５１は、同期信号及び参照信号を送信する機能を含む。
【００７５】
無線信号受信部３５２は、ユーザ装置ＵＥから各種の信号を無線受信し、受信した物理レイヤの信号からより上位のレイヤの信号を取得する機能を含む。
【００７６】
基地局間通信部３５３は、Ｘ２インタフェース等を用いて他の基地局ｅＮＢとの間で通信を行う機能を有する。また、基地局間通信部３５３は、他の基地局ｅＮＢからの要求に応じて、同期信号の送信タイミングを他の基地局ｅＮＢに通知する機能を有する。
【００７７】
タイミング取得部３５４は、基地局間通信部３５３を介して、他の基地局ｅＮＢから、他の基地局ｅＮＢが周期的に送信する同期信号の送信タイミングを取得する機能を有する。
【００７８】
Ｇａｐ区間決定部３５５は、タイミング取得部３５４で取得した同期信号の送信タイミングに基づいてＧａｐ区間を決定する機能を有する。より具体的には、Ｇａｐ区間決定部３５５は、取得した同期信号の送信タイミングに基づいて、基地局ｅＮＢ自身と接続しているユーザ装置ＵＥとの間で同期されている無線信号におけるサブフレーム番号のうち、他の基地局から周期的に送信される同期信号を受信可能なサブフレーム番号を特定し、特定したサブフレーム番号に基づいてＧａｐ区間を決定する。
【００７９】
また、Ｇａｐ区間決定部３５５は、特定したサブフレーム番号に基づいてＧａｐ区間の長さが６ｍｓ以下になるようにＧａｐ区間を決定してもよい。なお、Ｇａｐ区間決定部３５５は、前述の「（本実施の形態におけるＧａｐ区間の決定処理）」で説明した処理手順と同様の処理手順によりＧａｐ区間を決定する機能を有していてもよい。
【００８０】
スケジューリング部３５６は、Ｇａｐ区間の周期及びＧａｐ区間決定部３５５で決定されたＧａｐ区間に基づいて、ユーザ装置ＵＥが通信不可能なサブフレーム以外で無線リソースのスケジューリングを行う機能を有する。
【００８１】
（処理手順）
図１４は、第三の実施の形態における無線通信システムが行う処理手順を示すシーケンス図である。
【００８２】
ステップＳ３０１で、基地局ｅＮＢａのタイミング取得部３５４は、基地局ｅＮＢｂ〜ｄが周期的に送信している同期信号の送信タイミングを取得するため、送信タイミング要求信号を基地局ｅＮＢｂ〜ｄに送信する。なお、当該送信タイミング要求信号には、時刻とサブフレーム番号（基地局ｅＮＢａのサブフレーム番号）とが対応づけられた情報が含まれていてもよい。
【００８３】
ステップＳ３０２で、基地局ｅＮＢｂ〜ｄの基地局間通信部３５３は、自身が周期的に送信する同期信号の送信タイミングを示す送信タイミング応答信号を基地局ｅＮＢａに送信する。
【００８４】
なお、基地局ｅＮＢｂ〜ｄの基地局間通信部３５３は、自身がＰＳＳ／ＳＳＳを送信するサブフレームに対応する時刻を当該送信タイミング応答信号に含めて基地局ｅＮＢａに送信してもよい。サブフレーム長（ＬＴＥでは１ｍｓ）は３ＧＰＰで規定されているため、基地局ｅＮＢａのＧａｐ区間決定部３５５は、基地局ｅＮＢｂ〜ｄから通知された時刻から、基地局ｅＮＢｂ〜ｄがＰＳＳ／ＳＳＳを送信するタイミングに該当するサブフレーム番号（自身のサブフレーム番号）を推定することができる。
【００８５】
また、基地局ｅＮＢｂ〜ｄの基地局間通信部３５３は、ステップＳ３０１で受信した「時刻とサブフレーム番号とが対応づけられた情報」に基づいて、自身がＰＳＳ／ＳＳＳを送信するタイミングに該当するサブフレーム番号（基地局ｅＮＢａのサブフレーム番号）を推定し、推定したサブフレーム番号を送信タイミング応答信号に含めて基地局ｅＮＢａに送信してもよい。これにより、基地局ｅＮＢａのＧａｐ区間決定部３５５は、基地局ｅＮＢｂ〜ｄがＰＳＳ／ＳＳＳを送信するサブフレーム番号（基地局ｅＮＢａのサブフレーム番号）を自ら推定することなく知ることができる。
【００８６】
ステップＳ３０３で、基地局ｅＮＢａのＧａｐ区間決定部３５５は、基地局ｅＮＢｂ〜ｄがＰＳＳ／ＳＳＳを送信しているサブフレーム番号（基地局ｅＮＢａのサブフレーム番号）に基づいて、Ｇａｐ区間を決定する。
【００８７】
ステップＳ３０４で、基地局ｅＮＢａの無線信号送信部３５１は、ユーザ装置ＵＥに測定指示信号を送信する。測定指示信号には、Ｇａｐ区間の周期と、ステップＳ３０３で決定したＧａｐ区間と、測定対象のキャリア周波数とを含む。測定指示信号は、例えばｍｅａｎｓＧａｐＣｏｎｆｉｇを含むＲＲＣ信号であってもよい。
【００８８】
ステップＳ３０５で、基地局ｅＮＢａのスケジューリング部３５６は、Ｇａｐ区間の周期及びステップＳ３０３で決定したＧａｐ区間に基づいて、ユーザ装置ＵＥが通信不可能なサブフレーム以外で無線リソースのスケジューリングを行う。
【００８９】
ステップＳ３０６で、ユーザ装置ＵＥの品質測定部３０３は、測定指示信号で指定されたＧａｐ区間の周期及びＧａｐ区間に基づいて、基地局ｅＮＢｂ〜ｄから送信される無線信号に含まれる参照信号（ＲＳ）の無線品質を測定し、基地局ｅＮＢａに随時報告（Ｍｅａｓｕｒｅｍｅｎｔ  Ｒｅｐｏｒｔメッセージを送信）する。
【００９０】
＜まとめ＞
以上、複数の実施の形態によれば、基地局とユーザ装置とを有する無線通信システムにおけるユーザ装置であって、当該ユーザ装置と前記基地局との間で同期された無線信号におけるサブフレーム番号のうち、前記基地局とは異なる他の基地局から周期的に送信される同期信号を受信可能なサブフレーム番号を測定する測定部と、測定されたサブフレーム番号を含む測定結果情報を前記基地局に送信する送信部と、を有するユーザ装置が提供される。このユーザ装置ＵＥにより、ユーザ装置ＵＥが在圏しているセルのキャリア周波数とは異なるキャリア周波数のセルの無線品質を測定する場合において、スループット低下を抑制することが可能な技術が提供される。
【００９１】
また、前記測定部は、前記基地局とは異なる複数の他の基地局から周期的に送信される同期信号の各々から、複数の物理セル番号と、前記複数の物理セル番号の各々に対応するサブフレーム番号とを測定し、前記送信部は、前記複数の物理セル番号と前記複数の物理セル番号の各々に対応するサブフレーム番号とを含む前記測定結果情報を前記基地局に送信するようにしてもよい。これにより、ユーザ装置ＵＥが在圏しているセルのキャリア周波数とは異なるキャリア周波数のセルの無線品質を測定する場合において、複数のセルで送信される同期信号の受信タイミングに応じて、様々な方法でＧａｐ区間の位置及びＧａｐ区間の長さを決定することが可能になり、スループット低下を更に抑制することが可能になる。
【００９２】
また、複数の実施の形態によれば、基地局とユーザ装置とを有する無線通信システムにおける基地局であって、前記ユーザ装置と当該基地局との間で同期された無線信号におけるサブフレーム番号のうち、当該基地局とは異なる他の基地局から周期的に送信される同期信号を受信可能なサブフレーム番号を含む測定結果情報を、前記ユーザ装置から受信する受信部と、前記測定結果情報に含まれるサブフレーム番号に基づいてギャップ区間を決定する決定部と、決定された前記ギャップ区間を前記ユーザ装置に送信する送信部と、を有する基地局が提供される。この基地局ｅＮＢにより、ユーザ装置が在圏しているセルのキャリア周波数とは異なるキャリア周波数のセルの無線品質を測定する場合において、スループット低下を抑制することが可能な技術が提供される。
【００９３】
また、前記測定結果情報は、複数の物理セル番号と前記複数の物理セル番号の各々に対応するサブフレーム番号とを含み、前記決定部は、複数の物理セル番号の優先度を示す情報と前記複数の物理セル番号と前記複数の物理セル番号の各々に対応するサブフレーム番号とに基づいて、前記ギャップ区間のギャップ長さが６ｍｓ以下になるように前記ギャップ区間を決定するようにしてもよい。これにより、ユーザ装置ＵＥが在圏しているセルのキャリア周波数とは異なるキャリア周波数のセルの無線品質を測定する場合において、複数のセルで送信される同期信号の受信タイミングに応じて、様々な方法でＧａｐ区間の位置及びＧａｐ区間の長さを決定することが可能になり、スループット低下を更に抑制することが可能になる。
【００９４】
また、前記ギャップ区間により前記ユーザ装置が通信不可能なサブフレーム以外で無線リソースのスケジューリングを行うスケジューリング部を更に有するようにしてもよい。これにより、Ｇａｐ区間の位置に応じた無線リソースのスケジューリングを行うことができ、スループット低下を抑制することができる。
【００９５】
また、複数の実施の形態によれば、基地局とユーザ装置とを有する無線通信システムにおけるユーザ装置であって、当該ユーザ装置と前記基地局との間で同期された無線信号におけるサブフレーム番号のうち、前記基地局とは異なる他の基地局から周期的に送信される同期信号を受信可能なサブフレーム番号を測定する測定部と、測定されたサブフレーム番号に基づいてギャップ区間を決定する決定部と、決定されたギャップ区間を前記基地局に送信する送信部と、を有するユーザ装置が提供される。このユーザ装置ＵＥにより、ユーザ装置ＵＥが在圏しているセルのキャリア周波数とは異なるキャリア周波数のセルの無線品質を測定する場合において、スループット低下を抑制することが可能な技術が提供される。
【００９６】
また、前記測定部は、複数の他の基地局から周期的に送信される同期信号の各々から、複数の物理セル番号と、前記複数の物理セル番号の各々に対応するサブフレーム番号とを測定し、前記決定部は、複数の物理セル番号の優先度を示す情報と前記複数の物理セル番号と前記複数の物理セル番号の各々に対応するサブフレーム番号とに基づいて、前記ギャップ区間のギャップ長さが６ｍｓ以下になるように前記ギャップ区間を決定するようにしてもよい。これにより、ユーザ装置ＵＥが在圏しているセルのキャリア周波数とは異なるキャリア周波数のセルの無線品質を測定する場合において、複数のセルで送信される同期信号の受信タイミングに応じて、様々な方法でＧａｐ区間の位置及びＧａｐ区間の長さを決定することが可能になり、スループット低下を更に抑制することが可能になる。
【００９７】
また、複数の実施の形態によれば、基地局とユーザ装置とを有する無線通信システムにおける基地局であって、当該基地局とは異なる他の基地局から、前記他の基地局が周期的に送信する同期信号の送信タイミングを取得する取得部と、取得した前記送信タイミングに基づいて、前記ユーザ装置と当該基地局との間で同期された無線信号におけるサブフレーム番号のうち、前記他の基地局から周期的に送信される同期信号を受信可能なサブフレーム番号を特定し、特定したサブフレーム番号に基づいてギャップ区間を決定する決定部と、決定されたギャップ区間を前記ユーザ装置に送信する送信部と、を有する基地局が提供される。この基地局ｅＮＢにより、ユーザ装置が在圏しているセルのキャリア周波数とは異なるキャリア周波数のセルの無線品質を測定する場合において、スループット低下を抑制することが可能な技術が提供される。
【００９８】
また、複数の実施の形態によれば、基地局とユーザ装置とを有する無線通信システムにおけるユーザ装置が実行する測定方法であって、当該ユーザ装置と前記基地局との間で同期された無線信号におけるサブフレーム番号のうち、前記基地局とは異なる他の基地局から周期的に送信される同期信号を受信可能なサブフレーム番号を測定する測定ステップと、測定されたサブフレーム番号を含む測定結果情報を前記基地局に送信する送信ステップと、を有する測定方法が提供される。この測定方法により、ユーザ装置が在圏しているセルのキャリア周波数とは異なるキャリア周波数のセルの無線品質を測定する場合において、スループット低下を抑制することが可能な技術が提供される。
【００９９】
また、複数の実施の形態によれば、基地局とユーザ装置とを有する無線通信システムにおける基地局が実行するギャップ区間決定方法であって、前記ユーザ装置と当該基地局との間で同期された無線信号におけるサブフレーム番号のうち、当該基地局とは異なる他の基地局から周期的に送信される同期信号を受信可能なサブフレーム番号を含む測定結果情報を、前記ユーザ装置から受信する受信ステップと、前記測定結果情報に含まれるサブフレーム番号に基づいてギャップ区間を決定する決定ステップと、決定された前記ギャップ区間を前記ユーザ装置に送信する送信ステップと、を有するギャップ区間決定方法が提供される。このギャップ区間決定方法により、ユーザ装置が在圏しているセルのキャリア周波数とは異なるキャリア周波数のセルの無線品質を測定する場合において、スループット低下を抑制することが可能な技術が提供される。
【０１００】
＜実施形態の補足＞
以上説明したＧａｐ区間の決定処理において、ユーザ装置ＵＥ又は基地局ｅＮＢは、必ずしもＧａｐ区間を６ｍｓ以下に変更しないようにしてもよい。特定の状況（例えば全ての隣接セルの優先度が高い場合など）においては、Ｇａｐ区間を変更せずに６ｍｓのままとしてもよい。
【０１０１】
測定指示信号、Ｇａｐ区間通知信号、無線品質測定結果通知信号は、それぞれ測定指示メッセージ、Ｇａｐ区間通知メッセージ、無線品質測定結果通知メッセージと表現されてもよい。
【０１０２】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１０３】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１０４】
なお、各実施の形態において、受信タイミング測定部１０３又は受信タイミング測定部２０３、測定部の一例である。ＰＣＩは物理セル番号の一例である。Ｇａｐ区間決定部１５３、２０４、３５５は、決定部の一例である。
【符号の説明】
【０１０５】
ｅＮＢ  基地局
ＵＥ  ユーザ装置ＵＥ
１０１  無線信号送信部
１０２  無線信号受信部
１０３  受信タイミング測定部
１０４  品質測定部
１５１  無線信号送信部
１５２  無線信号受信部
１５３  Ｇａｐ区間決定部
１５４  スケジューリング部
２０１  無線信号送信部
２０２  無線信号受信部
２０３  受信タイミング測定部
２０４  Ｇａｐ区間決定部
２０５  品質測定部
２５１  無線信号送信部
２５２  無線信号受信部
２５３  スケジューリング部
３０１  無線信号送信部
３０２  無線信号受信部
３０３  品質測定部
３５１  無線信号送信部
３５２  無線信号受信部
３５３  基地局間通信部
３５４  タイミング取得部
３５５  Ｇａｐ区間決定部
３５６  スケジューリング部
【図１】
2017041676.tif 000003
【図２】
2017041676.tif 000004
【図３】
2017041676.tif 000005
【図４】
2017041676.tif 000006
【図５】
2017041676.tif 000007
【図６】
2017041676.tif 000008
【図７】
2017041676.tif 000009
【図８】
2017041676.tif 000010
【図９】
2017041676.tif 000011
【図１０】
2017041676.tif 000012
【図１１】
2017041676.tif 000013
【図１２】
2017041676.tif 000014
【図１３】
2017041676.tif 000015
【図１４】
2017041676.tif 000016